(57)【要約】      （修正有）【課題】安全かつ安心して現金回収作業を行うことができる撮影装置を提供する。【解決手段】撮影装置は出入口２０ａを含む一方の面３５を有する筐体と、閉位置において筐体内を撮影空間２０Ａと収納空間２０Ｂに区画する開閉扉２１とを備えている。開閉扉２１を出入口２０ａ側に設けられたヒンジ２１ａを介して撮影空間２０Ａ側へ回動して開とした際、開閉扉２１により筐体の側面３５に設けられた出入口２０ａを塞ぐことができる。【選択図】図２
2019101482.tif 000002
【特許請求の範囲】
【請求項１】
出入口を含む側面を有する筐体と、
前記筐体内に設けられ、前記筐体内を撮影空間と、少なくともカメラと課金設備とを収納する収納空間とに区画するとともに、モニタが取付けられた回動自在の開閉扉とを備え、
前記撮影空間に座部が設けられ、
前記開閉扉は、前記出入口側に設けられたヒンジを中心として回動し、前記開閉扉を前記撮影空間側へ回動して開とした際、前記開閉扉は前記出入口を塞ぐ、撮影装置。
【請求項２】
前記開閉扉に前記開閉扉が前記出入口を塞いだ際、前記開閉扉を前記出入口を含む前記側面に固定させるロック機構を設けた、請求項１に記載の撮影装置。
【請求項３】
前記開閉扉が前記出入口を塞いだ際、前記モニタに前記出入口を塞いだ旨を表示させる、請求項１または２に記載の撮影装置。
【発明の詳細な説明】
【技術分野】
【０００１】
本発明は、撮影装置に係り、とりわけ現金回収作業を安全に行うことができる撮影装置に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体が撮影されるとともに、得られた被写体画像がプリントされる。
【０００３】
そして、例えば、プリクラや証明写真ボックスなどのセルフポートレイト撮影機として筐体と、筐体内を撮影空間と、カメラ、プリンタおよび課金設備等を収納する収納空間とに区画する開閉扉とを有するものが知られている。
【０００４】
このような従来の写真撮影装置においては、一定の期間毎に作業者が筐体内に入り、開閉扉を開き、収納空間内の課金設備から現金を回収している。この現金回収の際、作業者は筐体内の床面に必要な書類等を置いて、現金回収の記録を付けている。
【先行技術文献】
【特許文献】
【０００５】
【特許文献１】特許第４６５０６７１号
【発明の概要】
【発明が解決しようとする課題】
【０００６】
しかしながら、作業者が書類等を筐体の床面に置いて現金回収時の記録をする作業は煩雑である。また一般に作業者は筐体外方に居て、筐体外方から筐体の床面上に置いた書類に記録するため、作業者は外方に背を向けて作業をすることになり、防犯上も問題である。
【０００７】
本発明は、このような点を考慮してなされたものであり、安全かつ安心して現金回収作業を行うことができる撮影装置を提供することを目的とする。
【課題を解決するための手段】
【０００８】
本発明は、出入口を含む側面を有する筐体と、前記筐体内に設けられ、前記筐体内を撮影空間と、少なくともカメラと課金設備とを収納する収納空間とに区画するとともに、モニタが取付けられた回動自在の開閉扉とを備え、前記撮影空間に座部が設けられ、前記開閉扉は、前記出入口側に設けられたヒンジを中心として回動し、前記開閉扉を前記撮影空間側へ回動して開とした際、前記開閉扉は前記出入口を塞ぐ、撮影装置である。
【０００９】
本発明は、前記開閉扉に前記開閉扉が前記出入口を塞いだ際、前記開閉扉を前記出入口を含む前記側面に固定させるロック機構を設けた、撮影装置である。
【００１０】
本発明は、前記開閉扉が前記出入口を塞いだ際、前記モニタに前記出入口を塞いだ旨を表示させる、撮影装置である。
【発明の効果】
【００１１】
以上のように本発明によれば、安全かつ安心して現金回収作業を行うことができる。
【図面の簡単な説明】
【００１２】
【図１】図１は、本実施の形態による写真撮影装置の各構成部分の配置の一例を示す側面図である。
【図２】図２は、写真撮影装置の上面図である。
【図３】図３は、本実施の形態による写真撮影装置のシステム構成の一例を示す図である。
【図４】図４は、図１および図２に示す写真撮影装置の外観の一例を示す図である。
【発明を実施するための形態】
【００１３】
＜発明の実施の形態＞
以下、図面を参照して本発明の実施の形態について説明する。
【００１４】
ここで図１は、本実施の形態による写真撮影装置に作業者Ｐが位置した場合の各構成部分の配置の一例を示す図である。また、図２は、図１に示す写真撮影装置の上面図である。また図３は、写真撮影装置のシステム構成の一例を示す図である。また、図４は、図１および図２に示す写真撮影装置の外観の一例を示す図である。
【００１５】
なお、図１においては、簡単のため、Ｉ／Ｏユニット３１は省略されている。
【００１６】
図１乃至図４に示すように、本発明による写真撮影装置（単に撮影装置ともいう）１０は筐体２０と、筐体２０内を撮影空間２０Ａと収納空間２０Ｂとに区画する回動自在の開閉扉２１とを備えている。このうち筐体２０は一対の側面３５，３５と、背面３６と、前面３７とを有する。一方の側面３５に出入口２０ａが設けられ、筐体２０の内壁２０ｄのうち出入口２０ａ側の部分に開閉扉２１用のヒンジ２１ａが垂直方向に延びて設けられている。そして開閉扉２１は、このヒンジ２１ａを介して回動可能となっており、開閉扉２１は筐体２０内を撮影空間２０Ａと収納空間２０Ｂとに明確に区画する閉位置と、この閉位置から撮影空間２０Ａ側へ回動する開位置とを取ることができる。また開閉扉２１が撮影空間２０Ａ側へ回動して開位置を取った際、開閉扉２１は同時に側面３５の出入口２０ａを塞ぐことができる。また、開閉扉２１にロック機構４０が設けられている。このロック機構４０は、開閉扉２１が出入口２０ａを塞いだ際、開閉扉２１を出入口２０ａ側の側面３５に固定させるものである。
【００１７】
また筐体２０の撮影空間２０Ａ内には、被写体が座る座部２５と、ストロボユニットＳとが設けられている。
【００１８】
さらに筐体２０の収納空間２０Ｂ内には、筐体２０の内壁２０ｄに沿って、下方から上方へ向かって順に、メディア収納ボックス１８と、プリンタ１７と、電源ユニット１９と、カメラ（撮影部）１２と、制御部１１とが設けられている。このうちプリンタ１７はカメラ１２で撮影した写真をメディアにプリントするものであり、メディア収納ボックス１８はプリンタ１７で使用するメディアがなくなった場合に補充する補充用メディアを収納するものである。また制御部１１は、後述のように写真撮影装置１０全体を制御するものである。
【００１９】
さらに筐体２０の収納室内２０Ｂ内には、開閉扉２１の収納空間２０Ｂ側の面に、下方から上方へ向かって順に、スピーカ２２と、表示状態および操作機能をもったモニタ１４と、検知センサ１３と、課金設備２３と、ストロボユニットＳとが設けられている。
【００２０】
このうちモニタ１４は被写体に対して撮影した写真を表示する機能と、被写体であるユーザが必要な操作を実行する操作機能とを有する。
【００２１】
さらに課金設備２３は、開閉扉２１の収納空間２１Ｂ側の面のうち、ヒンジ２１ａと反対側に寄った位置に取付けられている。写真撮影装置１０の稼働時間が一定の時間を経過すると、作業者Ｐが開閉扉２１を開とし、開となった開閉扉２１により側面３５に設けられた出入口２０ａを塞ぐ。そして開閉扉２１の収納空間２１Ｂ側の面に設けられた課金設備２３を開放し、課金設備２３内に収納されていた現金を回収する。このとき、同時に作業者は、書類に現金回収に関する記録をつける。
【００２２】
なお課金設備２３は、図４に示すように、硬貨や紙幣の入金口２３ａと、釣銭の返金口２３ｂとを有し、課金設備２３は入金口２３ａから入金された金額を検出して釣銭の金額を算出し、算出された釣銭金額分の硬貨又は紙幣を返金口２３ｂに排出して料金精算を行う。
【００２３】
上述のように作業者Ｐは、課金設備２３から現金の回収を行うが、この場合、必要な釣銭を残した上で現金の回収を行なって、書類等に必要な記録を付ける。
【００２４】
また、図４に示すように、筐体２０の一方の側面３５の外面には、プリンタ１７によりプリントされた写真印刷物を取り取出口２０ｃと、上述のようにユーザーが筐体２０内部に出入する出入口２０ａが設けられている。
【００２５】
そして、図１に示すように、撮影空間２０Ａに設けられた座部２５は、ユーザーの高さに応じて昇降可能となっている。
【００２６】
上述のように、写真撮影装置１０の稼働時間が一定の時間を経過すると、作業者Ｐが開閉扉２１を開く。次に作業者Ｐは開いた開閉扉２１により、一方の側面３５に設けられた出入口２０ａを塞ぐ。作業者Ｐは次に開閉扉２１の収納空間２１Ｂ側の面に設けられた課金設備２３から現金を回収する。この場合、作業者Ｐが現金回収作業を安全にかつ安心して行うことができるよう、作業者Ｐは筐体２０内に入り、撮影空間２０Ａ内の座部２５上に座る。同時に作業者Ｐは、出入口２０ａを塞ぐ開閉扉２１に設けられたロック機構４０を内側から動作させ、開閉扉２１を出入口２０ａ側の側面３５に固定させることができる。
【００２７】
次に写真撮影装置１０の各構成部分について、更に詳述する。
【００２８】
図１および図２に示すように、開閉扉２１には撮影窓２１ｂが設けられ、収納空間２０Ｂに設けられたカメラ１２は、この撮影窓２１ｂを介して図示しない被写体（ユーザー）を撮影して画像情報を得る。またプリンタ１７はこの画像情報に対応する被写体画像をプリントしてユーザーに証明写真を提供する。
【００２９】
なお「画像情報」とは、撮影により得られた被写体画像の電子情報のことである。
【００３０】
また、撮影窓２１ｂの下方には、ユーザーが撮影空間２０Ａ内に入ってきたことを検知する検知センサ１３が設けられている。
【００３１】
そして、ユーザーの入室が検知センサ１３により検知されると、モニタ１４およびスピーカ２２によるガイダンスを開始する。
【００３２】
次に制御部１１について述べる。制御部１１は、ＣＰＵ（Central Processing Unit）、ＲＡＭ（Random Access Memory）等から構成される。
【００３３】
この制御部１１は、記憶部１６に格納されているシステムプログラムや、画像撮影処理プログラム、画像処理プログラム等の各種プログラムを読み出してＲＡＭに展開し、当該プログラムに従って各部の動作を集中制御するようになっている。
【００３４】
また、撮影部であるカメラ１２は、光学レンズ、ＣＣＤ（Charge Coupled Device）等の光学センサ、Ａ／Ｄ（Analog/Digital）変換部等で構成されている。
【００３５】
このカメラ１２は、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００３６】
撮影部であるカメラ１２は、上述のように筐体２０の内壁２０ｄに設けられ、撮影空間２０Ａ内に位置するユーザーを撮影して画像情報を得るようになっている。
【００３７】
また、検知センサ１３は、筐体２０の撮影空間２０Ａ内にユーザーが入室したことを検知する光学センサであり、その検知信号を制御部１１に出力するようになっている。
【００３８】
また、操作機能をもつモニタ１４は、ユーザーが撮影に関する操作入力をするためのものである。
【００３９】
このモニタ１４は、写真種類を選択するための写真種選択スイッチ、撮影開始を指示するための撮影スイッチ、撮影画像のプリント出力を指示するためのプリントスイッチ等の各種機能キーを備える。
【００４０】
またモニタ１４は後述のように表示機能をも併せもっており、タッチパネルからなる。
【００４１】
このモニタ１４は、操作されたキーに対応する操作信号を制御部１１に出力するようになっている。
【００４２】
すなわちモニタ１４は操作手順やその他撮影に関するガイド映像等を表示するＬＣＤ表示部を有する。
【００４３】
このＬＣＤ表示部は、ＬＣＤ（Liquid Crystal Display）の画面を備える。
【００４４】
このＬＣＤ表示部は、制御部１１からの制御信号に従って、撮影手順を説明するガイド画面、写真種類を選択するための選択画面等の各種操作画面や、カメラ（撮像装置）Ｃにより撮影されたユーザーの顔画像等を表示する。
【００４５】
また、ＬＣＤ表示部は、既述のように、撮影に関する情報をユーザーに向けて表示するとともに、ユーザーが撮影に関する操作入力を行うようになっている。
【００４６】
モニタ１４はカメラ１２用の撮影窓２１ｂよりも下方に位置するように開閉扉２１に設けられ、撮影に関する所定の情報を表示するためのものである。
【００４７】
また開閉扉２１が開となり、出入口２０ａを塞いだ際、モニタ１４に出入口２０ａを塞いで作業をする作業中である旨の文字表示１４ａを表すことができる。
【００４８】
なお、撮影に関する情報は、ＬＣＤ表示部に表示されるとともに、ＬＣＤ表示部の下方に設けられたスピーカ２２を介して音声でユーザーに提供されてもよい。
【００４９】
また、記憶部１６は、システムプログラムの他、顔画像撮影処理プログラム、画像処理プログラム等の各種処理プログラム及び各プログラムで処理されたデータ等を記憶するようになっている。
【００５０】
そして、プリンタ１７は、制御部１１から入力された画像データに基づいてプリント出力を行う（すなわち、カメラ（撮影部）Ｃが取得した画像情報に対応する被写体画像をプリントする）ようになっている。
【００５１】
また、図３に示すＩ／Ｏユニット３１は、制御部１１と、スピーカ２２、課金設備２３、及びストロボユニットＳとの間で情報のやり取りを仲介するインターフェイスである。
【００５２】
このＩ／Ｏユニット３１は、制御部１１からの制御信号をスピーカ２２、課金設備２３、ストロボユニットＳに送信するとともに、スピーカ２２、課金設備２３、ストロボユニットＳからのステータス信号等を制御部１１に出力するようになっている。
【００５３】
そして、スピーカ２２は、Ｉ／Ｏユニット３１を介して制御部１１から入力されるガイド用アナウンスの音声信号を出力する。
【００５４】
また、図１に示すように、開閉扉２１の収納空間２０Ｂ側の面には、カメラ１２よりも上方に位置するように、ユーザーの前方位置に撮影用のストロボユニットＳが設けられている。さらに撮影空間２０Ａ内には座部２５に座っているユーザーの後方位置に光を照射するストロボユニットＳが設けられている。
【００５５】
ユーザーの前方および後方に設けられたストロボユニットＳは、制御部１１から指示された発光タイミング、発光量で同期して発光を行うようになっている。
【００５６】
次にこのような構成からなる本実施の形態の作用について説明する。
【００５７】
通常稼動中に被写体である図示しないユーザーが筐体２０内に入り、座部２５上に座る。ユーザーはモニタ１４の画面に沿ってモニタ１４を操作する。そしてユーザーが必要な料金を入金口２３ａを介して課金設備２３に投入することにより、ストロボユニットＳ１，Ｓ２がカメラ１２に同期して動作してカメラ１２により撮影が開始される。カメラ１２により撮影された画像は制御部１１へ送られ、プリンタ１７により写真印刷物が作製され、作製された写真印刷物は取出口２０Ｃから排出される。
【００５８】
このような通常稼動中、筐体２０内の開閉扉２１は閉となって、筐体２０内を撮影空間２０Ａと収納空間２０Ｂに区画している。
【００５９】
稼働時間が一定時間を超えると、作業者Ｐが筐体２０内に入り、まず開閉扉２１を開く（図２参照）。次に作業者Ｐは開いた開閉扉２１により一方の側面３５に設けられた出入口２０ａを塞ぎ、開閉扉２１に取付けられたロック機構４０を内側から動作させ、開閉扉２１を出入口２０ａ側の側面３５に固定する。
【００６０】
この状態で作業者Ｐは、開閉扉２１の収納空間２０Ｂ側の面に取付けられている課金設備２３を開き、課金設備２３内の現金を必要な釣銭を残して回収する。
【００６１】
次に作業者Ｐは撮影空間２０Ａの座部２５上に座り、書類等に現金回収の記録を付けたり、回収した現金をまとめる作業を行う。
【００６２】
この間、開閉扉２１は、一方の側面３５に設けられた出入口２０ａを塞ぐとともにロック機構４０により側面３５に固定される。また開閉扉２１に設けられたモニタ１４が出入口２０ａ外方を向き、出入口２０ａ外方を向くモニタ１４上に「作業中」等の文字表示１４ａが表示される。このため一般のユーザーは筐体２０外方からモニタ１４上の「作業中」等の文字表示１４ａをみて、撮影装置１０が使用できないことを認識する。
【００６３】
以上のように本実施の形態によれば、現金回収時に作業者Ｐは筐体２０内に入り、開閉扉２１を開き、開いた開閉扉２１により出入口２０ａを塞ぐ。次に作業者Ｐは座部２５上に座って現金回収作業を実行することができ、筐体２０外方で現金を扱う場合に比べて、安全かつ安心して現金回収作業を実施することができる。また、筐体２０内に入った作業者Ｐは、出入口２０ａを塞ぐ開閉扉２１に取付けられたロック機構４０を内側から動作させて開閉扉２１を一方の側面３５に固定する。このことにより、より安全かつ安心して現金回収作業を行うことができる。
【符号の説明】
【００６４】
１０  写真撮影装置
１１  制御部
１２  カメラ（撮影部）
１３  検知センサ
１４  モニタ
１４ａ  文字表示
１６  記憶部
１７  プリンタ
１８  メディア収納ボックス
２０  筐体
２０Ａ  撮影空間
２０Ｂ  収納空間
２０ａ  出入口
２０ｄ  内壁
２１  開閉扉
２１ａ  ヒンジ
２１ｂ  撮影窓
３１  Ｉ／Ｏ（Input/Output）ユニット
２２  スピーカ
２３  課金設備
３５  側面
３６  背面
３７  前面
４０  ロック機構
Ｓ  ストロボユニット
Ｐ  作業者
【図１】
2019101482.tif 000003
【図２】
2019101482.tif 000004
【図３】
2019101482.tif 000005
【図４】
2019101482.tif 000006